(57)【要約】【課題】布の質感と同様の凹凸模様をベース部材の装飾側表面だけに積層した装飾体及びその製造方法を得ること。【解決手段】変性アクリル系架橋重合体等の高吸水性樹脂に水を加え放置することで生成した含水ゲルをゴム材に添加したコンパウンドを、ベース部材の装飾側表面だけに積層し、加硫により前記含水ゲルの水分を揮発させるとともに前記ゴム材を発泡させて、前記表面に凹凸模様Ｙを形成してなる装飾体１５，２５，３５であり、ドアオープニングトリム１０，２０や目地材３０の装飾面側に施される。【選択図】図１
2007160789.tif 000002
【特許請求の範囲】
【請求項１】
変性アクリル系架橋重合体等の高吸水性樹脂に水を加え放置することで生成した含水ゲルをゴム材に添加したコンパウンドを、ベース部材の装飾側表面だけに積層し、加硫により前記含水ゲルの水分を揮発させるとともに前記ゴム材を発泡させて、前記表面に凹凸模様を形成してなることを特徴とする装飾体。
【請求項２】
前記コンパウンドは、前記含水ゲルに加えて、有機系または／および無機系の発泡剤をポリオレフィン系樹脂に混ぜ込んだ粉末状のマスターバッチを、前記ゴム材に添加したものであることを特徴とする請求項１に記載の装飾体。
【請求項３】
前記コンパウンドは、前記含水ゲルに加えて、有機系または／および無機系の発泡剤を、前記ゴム材に添加したものであることを特徴とする請求項１に記載の装飾体。
【請求項４】
前記コンパウンドは、前記含水ゲルに加えて、中空のガラスビーズを、前記ゴム材に添加したものであることを特徴とする請求項１に記載の装飾体。
【請求項５】
変性アクリル系架橋重合体等の高吸水性樹脂に水を加え放置することで生成した含水ゲルを熱可塑性エラストマーに添加したコンパウンドを、押出成形されるベース部材の装飾側表面だけに積層し、前記押出時に押圧力の解放により前記含水ゲルの水分を揮発させるとともに前記熱可塑性エラストマーを発泡させて、前記表面に凹凸模様を形成してなることを特徴とする装飾体。
【請求項６】
熱可塑性エラストマーに高吸水性樹脂を添加したコンパウンドを、押出時に押出機内で水を圧入して水を混練し、押出成形されるベース部材の装飾側表面だけに積層し、前記押出時に押圧力の解放により水分を揮発させるとともに前記熱可塑性エラストマーを発泡させて、前記表面に凹凸模様を形成してなることを特徴とする装飾体。
【請求項７】
前記ベース部材は、自動車のドア開口部に取付けられ、そのドアと開口部との隙間をシールするドアオープニングトリムのトリム本体部であることを特徴とする請求項１乃至６のうちいずれか一つに記載の装飾体。
【請求項８】
前記ベース部材は、目地間の隙間をシールする目地材の頭部であることを特徴とする請求項１乃至６のうちいずれか一つに記載の装飾体。
【発明の詳細な説明】
【技術分野】
【０００１】
本発明は、例えば、自動車のドアオープニングトリムの外観面等に使用され、表面に凹凸模様を形成する装飾体に関するものである。
【背景技術】
【０００２】
自動車のドア開口部に取付けられ、そのドアと開口部との隙間をシールするドアオープニングトリムのトリム本体部は自動車内の天井と隣接するため、トリム本体部の外観面に天井に使用されているのと同様の布を貼り付けた製品が採用されたものがある。
しかし、トリム本体部に布を貼ると大幅なコスト増になるため布に近い質感を出した安価な製品が求められている。
【０００３】
そこで、トリム本体部の質感向上策として、図４に示すように、ゴム押出成形時にシボロールでゴム表面にシボを付けることが一般的である。
これは、自動車のドア開口部に取付けられるトリム本体部１１と、そのトリム本体部１１に一体成形され、ドア閉時にドア（図示しない）に弾接する中空シール部１２と、同じくトリム本体部１１の外観面側に一体成形されたリップ部１３からなるドアオープニングトリム１０において、そのリップ部１３表面に装飾用のシボ模様Ｘを施した装飾体５を形成したものである。
【０００４】
しかし、シボロールでは布に近い質感を出すことが極めて難しい。
また、ＡＤＣＡ（アゾジカルボンアミド）やＯＢＳＨ（オキシビスベンゼンスルホニルヒドラジド）などの発泡剤を使用してゴムを発泡させ、表面に凹凸を設けることも知られている。
これによれば、布の質感に若干近づかせることができるが、布に近いというレベルには至らず十分ではない。
【０００５】
こうした中、高吸水性樹脂に水を加えて発泡させることにより凹凸部を形成する方法が知られている（特許文献１参照）。
【特許文献１】特許第２７８９１４３号公報  これによれば、表面の粗い単独気泡構造のスポンジが得られ、洗浄が容易であり、乾燥し易く、衛生的であって、しかも気泡径を変えることができ、微妙な感触の違いが要求される最適の性状の化粧用パフを製造することができる。
【発明の開示】
【発明が解決しようとする課題】
【０００６】
しかしながら、特許文献１に記載の技術は、主に化粧用パフ材料として使用されるものであるので、特に装飾性を重視したものではなく、そのため、表面部分だけに適用させたものではない。
【０００７】
そこで、本発明の目的とするところは、布の質感と同様の凹凸模様をベース部材の装飾側表面だけに積層した装飾体を得ることにある。
【課題を解決するための手段】
【０００８】
上記の目的を達成するために、本発明に係る装飾体（１５，２５，３５）は、変性アクリル系架橋重合体等の高吸水性樹脂に水を加え放置することで生成した含水ゲルをゴム材に添加したコンパウンドを、ベース部材（１３，２１，３１）の装飾側表面だけに積層し、加硫により前記含水ゲルの水分を揮発させるとともに前記ゴム材を発泡させて、前記表面に凹凸模様（Ｙ）を形成してなることを特徴とする。
【０００９】
前記コンパウンドは、前記含水ゲルに加えて、有機系または／および無機系の発泡剤、すなわち有機系および無機系の少なくとも１つの発泡剤をポリオレフィン系樹脂に混ぜ込んだ粉末状のマスターバッチを、前記ゴム材に添加したものにすることができる。
また、前記コンパウンドは、前記含水ゲルに加えて、有機系または／および無機系の発泡剤を、前記ゴム材に添加したものにすることができる。
さらに、前記コンパウンドは、前記含水ゲルに加えて、中空のガラスビーズを、前記ゴム材に添加したものにすることができる。
【００１０】
また、本発明に係る装飾体（１５，２５，３５）は、変性アクリル系架橋重合体等の高吸水性樹脂に水を加え放置することで生成した含水ゲルを熱可塑性エラストマーに添加したコンパウンドを、押出成形されるベース部材（１３，２１，３１）の装飾側表面だけに積層し、前記押出時に押圧力の解放により前記含水ゲルの水分を揮発させるとともに前記熱可塑性エラストマーを発泡させて、前記表面に凹凸模様（Ｙ）を形成してなることを特徴とする。
【００１１】
また、本発明に係る装飾体（１５，２５，３５）は、熱可塑性エラストマーに高吸水性樹脂を添加したコンパウンドを、押出時に押出機内で水を圧入して水を混練し、押出成形されるベース部材（１３，２１，３１）の装飾側表面だけに積層し、前記押出時に押圧力の解放により水分を揮発させるとともに前記熱可塑性エラストマーを発泡させて、前記表面に凹凸模様（Ｙ）を形成してなることを特徴とする。
【００１２】
また、本発明に係る装飾体（１５，２５）の前記ベース部材は、自動車のドア開口部に取付けられ、そのドアと開口部との隙間をシールするドアオープニングトリム（１０，２０）のトリム本体部（１１，２１）であることを特徴とする。
【００１３】
また、本発明に係る装飾体（３５）の前記ベース部材は、目地間の隙間をシールする目地材（３０）の頭部（３３）であることを特徴とする。
【００１４】
なお、括弧内の記号は、図面および後述する発明を実施するための最良の形態に記載された対応要素または対応事項を示す。
【発明の効果】
【００１５】
本発明の装飾体によれば、高吸水性樹脂に水を加え放置することで生成した含水ゲルをゴム材に添加してなるコンパウンドを、ベース部材の装飾側表面だけに積層し、加硫することによって含水ゲルの水分を揮発させるとともにゴム材を発泡させて、ベース部材の装飾側表面に、従来例のようなシボ模様と比較して極め細かい凹凸模様を形成するものであるので、布に近いレベルの質感を出すことができる。
よって、ベース部材の装飾側表面だけに、例えば、ドアオープニングトリムのトリム本体部の車内側表面だけ、あるいは、目地材の外観上表面にあらわれる頭部だけに、外観上布との一体感に優れた高意匠性の表面を得ることができる。
【００１６】
また、本発明によれば、ベース部材の装飾側表面だけに意匠面を簡単に形成することができるので、コンパウンドを必要最小限の材料に抑えることができる。
【００１７】
また、有機系または／および無機系の発泡剤をポリオレフィン系樹脂に混ぜ込んだ粉末状のマスターバッチを併用したものによれば、含水ゲルの添加で得られた極めの細かい表面の凹凸上に、粉末状のマスターバッチ添加で発生した発泡剤による表面の破れが加わって、より意匠性の高い外観が得られる。
【００１８】
また、有機系または／および無機系の発泡剤を併用したものによれば、含水ゲルの添加で得られた極めの細かい表面の凹凸を保ったまま、ボリュームを増やすことができる。
【００１９】
さらに、中空のガラスビーズを併用したものによれば、含水ゲルの添加で得られた極めの細かい表面の凹凸に、中空ガラスビーズの添加で得られた大きな表面の凹凸が加わるので、表面の光沢が押さえられ、重厚感，高級感を得られる。
【００２０】
また本発明の装飾体によれば、含水ゲルをゴム材ではなく、熱可塑性エラストマーに添加することによって得られるコンパウンドを、押出成形されるベース部材の装飾側表面だけに積層し、押出時に押圧力の解放により含水ゲルの水分を揮発させるとともに熱可塑性エラストマーを発泡させて、表面に凹凸模様を形成することができるので、種々の材料を使用することができる。
【００２１】
また本発明の装飾体によれば、熱可塑性エラストマーに高吸水性樹脂を添加したコンパウンドを、押出時に押出機内で水を圧入して水を混練し、押出成形されるベース部材の装飾側表面だけに積層し、押出時に押圧力の解放により水分を揮発させるとともに熱可塑性エラストマーを発泡させて、表面に凹凸模様を形成することができるので、種々の材料を使用することができる。
【発明を実施するための最良の形態】
【００２２】
図１を参照して、本発明の実施形態に係る装飾体及びその製造方法について説明する。図１は本発明の実施形態に係る装飾体を自動車のドアオープニングトリムに適用した場合を示すもので、そのドアオープニングトリムを示す斜視図である。
従来例（図４）で示したものと同様に、このドアオープニングトリム１０は、自動車のドア開口部に取付けられる断面略Ｕ字形状のトリム本体部１１と、そのトリム本体部１１の車外側側壁１１ａに一体成形され、ドア閉時にドア（図示しない）に弾接する中空シール部１２と、同じくトリム本体部１１の奥壁１１ｃ（車外側側壁１１ａと車内側側面１１ｂとを連結する壁；図１においてトリム本体部１１の左側）に一体成形されたリップ部１３からなる。
【００２３】
このリップ部１３は、断面略舌状で、自動車内の天井と隣接する装飾用のリップであり、リップ部１３のベース部材に対して、その外観面側の表面には、装飾用の凹凸模様Ｙが施された装飾体１５が積層されている。
この装飾体１５は、変性アクリル系架橋重合体等の高吸水性樹脂に水を加え放置することで生成した含水ゲルをゴム材に添加したコンパウンドを、リップ部１３の装飾側表面だけに積層し、加硫により前記含水ゲルの水分を揮発させるとともに前記ゴム材を発泡させて、前記表面に極めの細かい凹凸模様Ｙを形成してなるものである。凹凸模様Ｙは、従来例で示したシボ模様Ｘと比較して、極めが細かくより布に近いレベルのものである。
これにより、天井等の内装に使用される布と質感が同等で外観上一体感に優れた、高意匠性の表面が得られる。
【００２４】
次に、本発明の実施形態に係る装飾体１５の製造方法について説明する。
（１）まず、変性アクリル系架橋重合体等の高吸水性樹脂に水を加えた後、放置して含水ゲルを生成する。
含水ゲルを生成する際の水との比率（重量比）は、１：５〜１：１０が望ましい。これより水の比率が少ないと高吸水性樹脂との混合が困難になり、またこれより水の比率が多いとゴム表面の凹凸が大きくなり、極めの細かい凹凸のある外観が得られなくなるからである。
なお、ここでは、高吸水性樹脂として変性アクリル系架橋重合体を一例としてあげたが、これに限定されることはなく、吸水によって、水との重量比が上述したように、１：５〜１：１０に調整できる樹脂材であればよい。
【００２５】
高吸水性樹脂の種類としては、変性アクリル系架橋重合体（日本触媒（株）製の「アクアリック」等），イソブチレン無水マレイン酸共重合体架橋物（クラレイソプレンケミカル（株）製の「ＫＩゲル」），ビニルアルコール−アクリル酸共重合体架橋物（住友化学工業（株）製の「スミカゲル」），変性ポリアミド（東レ（株）製の「ＡＱ−ナイロン」），アルギン酸系重合体架橋物，デンプン系重合体架橋物，グアーガム系重合体架橋物，カラギーナン系重合体架橋物，キチン系重合体架橋物等があげられる。
【００２６】
（２）次に、生成した含水ゲルをゴム材に添加してゴムのコンパウンドを生成する。
ここで、ゴム材としては、ＥＰＤＭ，ＩＲ，ＮＢＲ，シリコーンゴムがあげられる。含水ゲルの添加量はゴム材１００部に対して１０部より少ない量が望ましい。添加量が１０部以上だとコンパウンドを生成するときのロールでの練り込み時に滑りが発生してシェアがかからなくなり、練り込むまでに多大な時間を要するなど、作業性が著しく悪化するからである。
【００２７】
（３）次に、ドアオープニングトリム１０を口金（図示しない）を介して押出成形し、口金の形状に沿ったトリム本体部１１と中空シール部１２とリップ部１３とを一体成形するが、この押出成形時に、（２）で生成したゴムのコンパウンドを同時に押出成形して、リップ部１３の装飾側表面だけに積層する。
【００２８】
（４）その後、押出成形されたドアオープニングトリム１０を加硫槽（図示しない）に通すことによって加硫し、前記含水ゲルの水分を揮発させるとともに前記ゴム材を発泡させて、リップ部１３の装飾側表面だけに凹凸模様Ｙを形成する。
これによって、天井等の内装に使用される布と質感が同等で外観上一体感に優れた、高意匠性の表面を有する装飾体１５が得られる。
【００２９】
なお、（２）でコンパウンドを生成するときに、前記含水ゲルに加えて、有機系または／および無機系の発泡剤をポリオレフィン系樹脂に混ぜ込んだ粉末状のマスターバッチを、前記ゴム材に添加することもできる。
ポリオレフィン系樹脂に混ぜ込んだ粉末状のマスターバッチとした発泡剤としては、例えば、永和化成工業（株）製の「セルパウダー−Ｅ１０」等があげられる。
これによれば、含水ゲルの添加で得られた極めの細かい表面の凹凸上に、粉末状のマスターバッチ添加で発生した有機系または／および無機系の発泡剤による表面の破れが加わって、より意匠性の高い外観が得られる。
【００３０】
また、（２）でコンパウンドを生成するときに、前記含水ゲルに加えて、有機系または／および無機系の発泡剤を、前記ゴム材に添加することもできる。
これによれば、含水ゲルの添加で得られた極めの細かい表面の凹凸を保ったまま、ボリュームを増やすことができる。
【００３１】
なお、有機系発泡剤の種類としては、オキシビスベンゼンスルホニルヒドラジド，アゾジカルボンアミド等があげられる。
また、無機系発泡剤の種類としては、炭酸水素ナトリウム等があげられる。
【００３２】
さらに、（２）でコンパウンドを生成するときに、前記含水ゲルに加えて、中空のガラスビーズを、前記ゴム材に添加することもできる。
これによれば、含水ゲルの添加で得られた極めの細かい表面の凹凸に、中空ガラスビーズの添加で得られた大きな表面の凹凸が加わる。また中空ガラスビーズの添加で表面の光沢が押さえられ、重厚感，高級感を得られる。
【００３３】
本発明の実施形態では、（２）でコンパウンドを生成するときに、含水ゲルをゴム材に添加するようにし、その後（４）で加硫させることにより、含水ゲルの水分を揮発させるとともにゴム材を発泡させるようにしたが、ゴム材に代えて、熱可塑性エラストマーを使用することもできる。
これは、ドアオープニングトリム１０を口金（図示しない）を介して押出成形し、口金の形状に沿ったトリム本体部１１と中空シール部１２とリップ部１３とを一体成形し、この押出成形時に、含水ゲルのペレットを熱可塑性エラストマーのペレットに混合分散させ、これを同時に押出成形して、リップ部１３の装飾側表面だけに積層する。
これによれば、口金から押出成形された時に押圧力が解放され、その解放により含水ゲルの水分が揮発するとともに熱可塑性エラストマーが発泡し、リップ部１３の装飾側表面だけに凹凸模様Ｙが形成される。
【００３４】
また、熱可塑性エラストマーに吸水していない高吸水性樹脂を添加してコンパウンドを生成した後、押出時に押出機内で水を圧入して水を混練し、押出成形されるベース部材たるドアオープニングトリム１０のリップ部１３の装飾側表面だけに積層し、前記押出時に押圧力の解放により水分を揮発させるとともに前記熱可塑性エラストマーを発泡させて、前記表面に凹凸模様を形成するようにしてもよい。このとき押出機内において、高吸水性樹脂は水の核材となって水を分散させるはたらきをする。
【００３５】
また、本発明の実施形態では、図１に示すように、ドアオープニングトリム１０のトリム本体部１１に一体成形されたリップ部１３の車内側となる装飾側表面に装飾体１５を形成するようにしたが、ベース部材の装飾側表面だけに装飾体を設ける構成であればよいので、例えば、図２に示すように、特にリップ部を設けることなく、ドアオープニングトリム２０のトリム本体部２１の奥壁２１ｃから車内側側壁２１ｂにわたり装飾体２５を形成するようにしてもよい。
【００３６】
また、本発明の実施形態に係る装飾体は、ベース部材の装飾側表面だけに積層させるものであれば適用しうるので、特に、ドアオープニングトリムに限定されることなく、ウェザーストリップ全般に適用することができることはもとより、図３に示すように、目地材３０に適用することもできる。
すなわち、目地間の隙間（図示しない）をシールする目地本体部３１とそれらの左右から延び目地空間に弾接して隙間をシールするシールリップ部３２からなる目地材３０の、装飾側表面となる頭部３３（図３において上側）に装飾体３５を施すこともできる。
【図面の簡単な説明】
【００３７】
【図１】本発明の実施形態に係る装飾体を適用した場合のドアオープニングトリムを示す斜視図である。
【図２】本発明の実施形態に係る装飾体を適用した場合の他のドアオープニングトリムを示す斜視図である。
【図３】本発明の実施形態に係る装飾体を適用した場合の目地材を示す斜視図である。
【図４】従来例に係る装飾体を適用した場合のドアオープニングトリムを示す斜視図である。
【符号の説明】
【００３８】
５      装飾体
１０      ドアオープニングトリム
１１      トリム本体部
１１ａ    車外側側壁
１１ｂ    車内側側壁
１１ｃ    奥壁
１２      中空シール部
１３      リップ部
１５      装飾体
２０      ドアオープニングトリム
２１      トリム本体部
２１ａ    車外側側壁
２１ｂ    車内側側壁
２１ｃ    奥壁
２２      中空シール部
２５      装飾体
３０      目地材
３１      目地本体部
３２      シールリップ部
３３      頭部
３５      装飾体
Ｘ      シボ模様
Ｙ      凹凸模様
【図１】
2007160789.tif 000003
【図２】
2007160789.tif 000004
【図３】
2007160789.tif 000005
【図４】
2007160789.tif 000006